(57)【特許請求の範囲】
【請求項１】
カメラに装着されるレンズ装置であって、
レンズ系を保持する鏡筒と、
前記カメラとの連結を行う筒状の嵌合部と、該嵌合部の周囲に設けられたフランジ部とを有し、前記鏡筒に取り付けられるマウント環と、
前記鏡筒に設けられ、前記マウント環の中心軸を前記レンズ系の光軸に位置決めする複数のピンと、
前記フランジ部に形成された複数の貫通孔と、
前記貫通孔の孔径より小さい外径を有し、前記ピンが嵌め合わされる開口が設けられた位置決めリングと、
前記マウント環に別部材として設けられ、前記貫通孔の内部で位置決めリングを前記マウント環に対して固定する固定部材と、を備え、
前記マウント環が位置決めされた状態で前記固定部材によって固定された前記位置決めリングの前記開口によって前記ピンを規制し、前記鏡筒と前記マウント環との位置決めを行うレンズ装置。
【請求項２】
請求項１に記載のレンズ装置であって、
前記固定部材は、前記貫通孔に嵌め込まれて前記位置決めリングを前記マウント環に締め付けるネジであるレンズ装置。
【請求項３】
請求項１に記載のレンズ装置であって、
前記固定部材は、前記貫通孔に充填されて硬化されることによって、前記位置決めリングを前記貫通孔に固定する接着剤であるレンズ装置。
【請求項４】
請求項１から３のいずれか１項に記載のレンズ装置であって、
前記貫通孔は、前記ピンの外径より大きい孔径の小径部と、該小径部よりも大きい孔径の大径部とを有し、前記小径部と前記大径部との間の段差に前記位置決めリングが当接されて固定されるレンズ装置。
【請求項５】
請求項１から４のいずれか１項に記載のレンズ装置であって、
前記複数のピンが、前記鏡筒の中心軸に対して対称となるように設けられているレンズ装置。
【発明の詳細な説明】
【技術分野】
【０００１】
本発明は、映画撮影用のシネカメラ等のカメラ本体に交換可能に装着されるレンズ装置に関する。
【背景技術】
【０００２】
シネカメラ等のカメラは、レンズ系を保持する鏡筒を有するレンズ装置と、該レンズ装置が着脱可能にマウントされるカメラ本体とを備える。レンズ装置は、カメラ本体側へ取り付けるために、鏡筒にカメラ本体との接続部となるバヨネット式のマウント環が取り付けられているものがある。レンズ装置の製造時、鏡筒にマウント環を取り付ける際には、鏡筒のレンズ系の光軸とマウント環の中心軸とを一致するように調整する必要がある。
【０００３】
鏡筒に固定ピンを設け、マウント環にピン孔を設け、鏡筒の光軸とマウント環の中心軸が一致する位置で、固定ピンがピン孔に挿入されて鏡筒とマウント環との位置決めを行う方法がある。しかし、この方法では固定ピンやピン孔を高度な加工精度で形成する必要であった。
【０００４】
マウント環を鏡筒に取り付けた後で、両者の位置合わせを調整可能な技術としては、例えば、下記特許文献１に示すものがある。特許文献１には、カメラ本体にマウントされるマウント枠と、レンズ群を支持するレンズ枠とを備え、マウント枠に対して光軸と直交する方向にレンズ枠の位置を調整するマウントシフト装置が記載されている。
【０００５】
また、撮影目的等に応じてカメラ本体を交換する際には、該カメラ本体の種類に応じてレンズ装置の鏡筒に取り付けられるマウント環を付け替える作業が必要となることがある。例えば、デジタル撮影用のカメラにおいては、水滴や塵埃の付着を防止する保護ガラスが内蔵されているため、保護ガラスを備えていないマウント環が鏡筒に取り付けられる。一方で、フイルム撮影用のカメラにおいては、カメラ本体に保護ガラスが内蔵されていないため、保護ガラスを備えたマウント環が鏡筒に取り付けられる。
【先行技術文献】
【特許文献】
【０００６】
【特許文献１】特開平１０−１１５７５７号公報
【発明の概要】
【発明が解決しようとする課題】
【０００７】
特許文献１の装置は、マウント枠を鏡筒から取り外すことや鏡筒に付け替えることを想定したものではなかった。カメラ本体の交換時等において鏡筒のマウント環を付け替える場合には、鏡筒の光軸とマウント環の中心軸との位置合わせを再度行う必要があり、作業が煩雑となっていた。
【０００８】
本発明は、鏡筒にマウント環を付け替える場合に、鏡筒に保持されたレンズの光軸とマウント環の中心軸との位置合わせを再度行う必要がないレンズ装置を提供する。
【課題を解決するための手段】
【０００９】
本発明の上記目的は、カメラに装着されるレンズ装置であって、
レンズ系を保持する鏡筒と、
前記カメラとの連結を行う筒状の嵌合部と、該嵌合部の周囲に設けられたフランジ部とを有し、前記鏡筒に取り付けられるマウント環と、
前記鏡筒に別部材として設けられ、前記マウント環の中心軸を前記レンズ系の光軸に位置決めする複数のピンと、
前記フランジ部に形成された複数の貫通孔と、
前記貫通孔の孔径より小さい外径を有し、前記ピンが嵌め合わされる開口が設けられた位置決めリングと、
前記マウント環に設けられ、前記貫通孔の内部で位置決めリングを前記マウント環に対して固定する固定部材と、を備え、
前記マウント環が位置決めされた状態で前記固定部材によって固定された前記位置決めリングの前記開口によって前記ピンを規制し、前記鏡筒と前記マウント環との位置決めを行うレンズ装置によって達成される。
【発明の効果】
【００１０】
本発明によれば、鏡筒にマウント環を付け替える場合に、鏡筒に保持されたレンズの光軸とマウント環の中心軸との位置合わせを再度行う必要がないレンズ装置を提供できる。
【図面の簡単な説明】
【００１１】
【図１】レンズ装置の全体の外観を示す側面図である。
【図２】レンズ装置の一方の端を示す斜視図である。
【図３】マウント環を鏡筒に取り付ける前の状態を示す斜視図である。
【図４】マウント環の平面図である。
【図５】マウント環を鏡筒に取り付ける状態を示す断面図である。
【発明を実施するための形態】
【００１２】
図１は、レンズ装置の全体の外観を示す側面図である。図１に示すレンズ装置１は、一例としてシネマ用カメラのカメラ本体に装着可能なシネレンズの構成とする。
【００１３】
レンズ装置１は、レンズ系を保持する鏡筒１０と、レンズ装置１をカメラ本体（図示しない）にマウントするためのマウント環２０とを備える。以下の説明では、鏡筒１０の光軸方向に対して光入射側を先端側とし、光出射側（カメラ本体側）を後端側とする。マウント環２０は、鏡筒１０の後端部に取り付けられている、バヨネット式の構成のものである。レンズ装置１は、マウント環２０によって、図示しないカメラ本体に装着可能である。
【００１４】
鏡筒１０には、レンズ系が設けられている。レンズ系として、鏡筒１０の内部においてその先端側から順に、固定のフォーカスレンズ、可動のフォーカスレンズ、ズームレンズ、アイリス、及びリレーレンズ等が配置され、これらレンズは、光軸が一致するように鏡筒１０の内部で保持されている。
【００１５】
図２は、レンズ装置のマウント環を示す斜視図である。
マウント環２０は、中心軸に対して回転対照な形状を有する部材である。マウント環２０は、カメラ本体側と嵌合される筒状の嵌合部２６と、該嵌合部２６の外周から外径側に突出したバヨネット爪部２４と、嵌合部２６の軸方向において嵌合側とは反対側端部に円環板状に形成されたフランジ部２２とを備えている。
【００１６】
図３は、マウント環を鏡筒に取り付ける前の状態を示す斜視図である。図４は、マウント環の平面図である。図４は、図３に示すマウント環を中心軸の軸方向に見た状態を示している。
【００１７】
鏡筒１０の後端には、マウント環２０を取り付けるための取付面１２が設けられている。取付面１２は光軸方向に見た状態で円環状である。取付面の中央部分にレンズ系のうち後端に配されたレンズのレンズ面が露呈している。
【００１８】
取付面１２には、６つのネジ孔１４と、該取付面１２に対して垂直に突出する円柱状の２つのピン１６とが設けられている。
【００１９】
２つのピン１６は、鏡筒１０の中心軸に対して軸対照の位置に配置されている。ピン１６の数は、複数であれば２つに限らず、３つ以上としてもよい。しかし、２つのピン１６を鏡筒１０の中心軸に対して軸対照の位置に配置することで、後述する鏡筒１０とマウント環２０との位置合わせが容易である。
【００２０】
図４に示すように、マウント環２０のフランジ部２２には、６つのネジ孔２８と、２つの貫通孔３０とが形成されている。２つの貫通孔３０は、マウント環２０の中心軸に対して軸対照の位置に配置されている。貫通孔３０は、フランジ部２２にピン１６の数と同じ数だけ形成されている。また、マウント環２０を鏡筒１０の取付面１２に取り付けた状態で、貫通孔３０は、フランジ部２２における、取付面１２に設けられたピン１６の位置に対応する位置に設けられている。
【００２１】
また、２つの貫通孔３０はそれぞれ、フランジ部２２において鏡筒１０側に開口する小径部３０ａと、該小径部３０ａに連なりかつ小径部３０ａの孔径よりも大きい孔径を有する大径部３０ｂとを有する。貫通孔３０の内周面には、小径部３０ａと大径部３０ｂとの間に段差が設けられている。また、大径部３０ｂの内周面にはネジ溝が形成されている。
【００２２】
図３に示すように、フランジ部２２のネジ孔２８にはネジ３２が挿通され、ネジ孔２８から突き出た該ネジ３２の先端側が取付面１２のネジ孔１４に締め付けられる。こうして、マウント環２０のフランジ部２２が鏡筒１０に固定される。
【００２３】
ピン１６は、位置決めリング３４と固定ネジ３６によって固定される。位置決めリング３４は、貫通孔３０の大径部３０ｂの孔径より小さい外径を有する。位置決めリング３４には、ピン１６が嵌め合わされる開口３４ａが設けられている。位置決めリング３４の開口３４ａの開口径は、環通孔３０の小径部３０ａの孔径よりも小さく、ピン１６の外径と略一致する径である。つまり、小径部３０ａの孔径はピン１６の外径よりも大きい。
【００２４】
固定ネジ３６は、貫通孔３０の大径部３０ｂの孔径にほぼ等しい外径を有する略円柱形であって、その周面にネジ溝が形成されている。また、固定ネジ３６の大径部３０ｂの内周面には、固定ネジ３６のネジ溝と螺合する溝が形成されている。
【００２５】
図５は、鏡筒とマウント環とを位置合わせする機構を示す断面図である。図５に基づいて位置合わせの手順を説明する。なお、図５では、図１に示すレンズ装置の２つの貫通孔３０のうち、一方の貫通孔３０の構成のみを示すものとし、他方の貫通孔３０の構成も同様であり、ここでは図示せずに省略している。
【００２６】
ピン１６が貫通孔３０に挿入され、貫通孔３０に予め配置された位置決めリング３４の開口３４ａに嵌め合わされる。位置決めリング３４は、貫通孔３０の内部で固定ネジ３６に締め付けられることによって固定される。
【００２７】
先ず、位置決めリング３４が貫通孔３０に挿入され、小径部３０ａと大径部３０ｂとの間の段差で保持される。固定ネジ３６を、位置決めリング３４を締め付けない程度の位置まで、貫通孔３０の大径部３０ｂに締め付ける。ここで、位置決めリング３４と貫通孔３０の大径部３０ｂとの間には隙間が存在しており、位置決めリング３４が大径部３０ｂの径方向に対して移動可能である。そして、鏡筒１０の取付面１２に設けられたピン１６を位置決めリング３４の開口３４ａに嵌め込む。
【００２８】
次に、鏡筒１０の光軸Ｓ１と、マウント環２０の中心軸Ｓ２との位置合わせを行う。位置合わせの方法としては、光源からチャートを介して光を照射し、コリメータで平行光束化し、平行光を被観察物であるレンズ装置に照射する。また、レンズ装置の光軸上に顕微鏡を配置し、観察位置で結像されたチャートの像を顕微鏡によって観察しながらマウント環２０の位置を調整する。
【００２９】
位置決めリング３４と貫通孔３０との間には隙間ｇが設けられているため、光軸Ｓ１と中心軸Ｓ２とのズレ量に応じて位置決めリング３４を貫通孔３４内で適宜移動させることによって、鏡筒１０の取付面１２に対するマウント環の取り付け位置を変更することができる。
【００３０】
光軸Ｓ１と中心軸Ｓ２との位置合わせが完了した後、位置決めリング３４を固定ネジ３６で締め付けることによって固定する。固定ネジ３６の締め付けには、トルクドライバー等を用いる。固定ネジ３６の形状や種類は、位置決めリング３４を貫通孔３０に固定することができる範囲で、適宜変更できる。
【００３１】
位置決めリング３４は、一旦固定ネジ３６によって固定された後は、貫通孔３０内で移動することが回避され、よって、マウント環２０のフランジ部２２に対して位置決めリング３４の開口３４ａが位置決めされる。このため、ネジ３２を緩めて鏡筒１０からマウント環２０を取り外しても位置決めリング３４は固定ネジ３６によって固定されたままとなる。そして、鏡筒１０にマウント環２０を再び取り付ける際には、既に固定されている位置決めリング３４の開口３４ａに鏡筒１０のピン１６を嵌め込むことによって位置決めを行うことができる。従って、このレンズ装置１によれば、鏡筒１０にマウント環２０を付け替える場合に、鏡筒１０に保持されたレンズの光軸Ｓ１とマウント環２０の中心軸Ｓ２との位置合わせを再度行う必要がない。
【００３２】
レンズ装置１において、２つのピン１６が鏡筒１０の中心軸に対して対称となるように設けられている構成であるため、鏡筒１０の光軸Ｓ１とマウント環２０の中心軸Ｓ２との位置合わせが容易である。
【００３３】
なお、既に位置決めした位置決めリング３４の位置を再調整する場合には、貫通孔３０に締め付けている固定ネジ３６を緩めて、上述の方法と同様に位置調整を再度行えばよい。
【００３４】
上記レンズ装置のレンズマウントは、バヨネット式の構成を例に説明したが、これに限定されず、ねじ込み式やスピゴット式のマウントとしてもよい。
【００３５】
また、レンズ装置１は、マウント環２０の位置決めリング３４を固定ネジ３６で固定する構成に限定されてない。例えば、固定ネジ３６の替わりに、接着剤を用いてもよい。この場合には、鏡筒１０にマウント環２０を取り付けて、取付面１２のピン１６を位置決めリング３４の開口３４ａに嵌め込み、鏡筒１０の光軸とマウント環２０の中心軸との位置の調整が完了した状態で、接着剤を貫通孔３０に充填し、硬化させる。こうすることで、接着剤によって位置決めリング３４を貫通孔３０に固定することができる。
【００３６】
本明細書は、以下の事項を開示するものである。
（１）カメラに装着されるレンズ装置であって、
レンズ系を保持する鏡筒と、
前記カメラとの連結を行う筒状の嵌合部と、該嵌合部の周囲に設けられたフランジ部とを有し、前記鏡筒に取り付けられるマウント環と、
前記鏡筒に設けられ、前記マウント環の中心軸を前記レンズ系の光軸に位置決めする複数のピンと、
前記フランジ部に形成された複数の貫通孔と、
前記貫通孔の孔径より小さい外径を有し、前記ピンが嵌め合わされる開口が設けられた位置決めリングと、
前記貫通孔の内部で位置決めリングを固定する固定部材と、を備え、
前記マウント環が位置決めされた状態で前記固定部材によって固定された前記位置決めリングの前記開口によって前記ピンを規制し、前記鏡筒と前記マウント環との位置決めを行うレンズ装置。
（２）上記（１）に記載のレンズ装置であって、
前記固定部材は、前記貫通孔に嵌め込まれて前記位置決めリングを前記マウント環に締め付けるネジであるレンズ装置。
（３）上記（１）又は（２）に記載のレンズ装置であって、
前記固定部材は、前記貫通孔に充填されて硬化されることによって、前記位置決めリングを前記貫通孔に固定する接着剤であるレンズ装置。
（４）上記（１）から（３）のいずれか１項に記載のレンズ装置であって、
前記貫通孔は、前記ピンの外径より大きい孔径の小径部と、該小径部よりも大きい孔径の大径部とを有し、前記小径部と前記大径部との間の段差に前記位置決めリングが当接されて固定されるレンズ装置。
（５）上記（１）から（４）のいずれか１項に記載のレンズ装置であって、
前記複数のピンが、前記鏡筒の中心軸に対して対称となるように設けられているレンズ装置。
【符号の説明】
【００３７】
１  レンズ装置
１０  鏡筒
１６  ピン
２０  マウント環
２２  フランジ部
２４  バヨネット爪
３０  貫通孔
３４  位置決めリング
３６  固定ネジ
Ｓ１  （鏡筒の）光軸
Ｓ２  （マウント環の）中心軸
【図１】
0005560149.tif 000002
【図２】
0005560149.tif 000003
【図３】
0005560149.tif 000004
【図４】
0005560149.tif 000005
【図５】
0005560149.tif 000006